(57)【要約】      （修正有）【課題】使用時に、たとえ想定外の突風や振動などの外因が負荷されても、掛止部材とＳ字フックとの不本意な相対離脱を確実に防止することが可能でありながら、掛止部材に対する掛脱抵抗を軽減して掛脱操作が容易になされるＳ字フックを提供する。【解決手段】Ｓ字フック１の案内直線部１１とフック部Ｆ１との間の開口部ｆ１が閉塞部材２０で開閉可能に閉塞される。この閉塞部材２０を方持ち式のばね金具で構成し、その係止部２４ａを案内直線部１１に回動可能に係止し、自由端部２１をフック部Ｆ１の先端内面側に弾力的に当接させて開口部ｆ１を閉塞する。これにより、掛止部材２に対するＳ字フック１の掛止抵抗と離脱抵抗は、閉塞部材２０を弾力に抗して回動させる小さい力に軽減でき、掛脱操作が容易となる。【選択図】図３
0003220034.tif 000002
【実用新案登録請求の範囲】
【請求項１】
掛止部材掛脱用の案内直線部と、この案内直線部の両端に連設したフック部と、を備え、前記案内直線部と各フック部の先端との間に開口部を設けてＳ字状に成形され、前記各フック部の少なくとも一つのフック部の開口部が閉塞部材により開閉可能に閉塞されたＳ字フックであって、
前記閉塞部材は、その基端部が前記案内直線部に回動可能に係止され、自由端部は前記フック部の先端内面側に弾力的に当接する方持ち式のばね金具によって構成されていることを特徴とするＳ字フック。
【請求項２】
請求項１に記載したＳ字フックにおいて
前記フック部の先端内面側に、前記閉塞部材の自由端部が掛脱可能に掛止される爪を突設してなるＳ字フック。
【請求項３】
請求項２に記載したＳ字フックにおいて
前記爪は、前記案内直線部と平行に突設されているＳ字フック。
【請求項４】
請求項２または請求項３のいずれか１項に記載したＳ字フックにおいて
前記閉塞部材は、前記案内直線部の軸線に直角、直角に近い鋭角および直角に近い鈍角のいずれかの開き角度で前記自由端部が掛脱可能に前記爪に掛止されるＳ字フック。
【考案の詳細な説明】
【技術分野】
【０００１】
本考案はＳ字フックに係り、詳しくは、洗濯物を物干し竿に吊り下げて天日乾燥する場合などの使用に好適なＳ字フックに関する。
【背景技術】
【０００２】
Ｓ字フックは、例えば、洗濯物の天日乾燥のために、上側の下向きフック部を物干し竿に掛止し、下側の上向きフック部に洗濯物を吊り下げたたハンガーを掛止して使用される。ところが、その使用時に、想定外の突風や振動などの外因が負荷されると、物干し竿からＳ字フックが不本意に離脱したり、Ｓ字フックからハンガーが不本意に離脱するおそれがある。
【０００３】
そこで、洗濯物の天日乾燥のための使用時に、前記の外因が負荷されても、物干し竿からの不本意な離脱を防止するように工夫したＳ字フックが、例えば特許文献１に記載されている。
【０００４】
前記特許文献１に記載のＳ字フックを図９に示す。この図において、Ｓ字フック５０は、上下に傾斜してのびる案内直線部５１の上端に下向き円弧状の一方のフック部５２Ａを連設し、案内直線部５１の下端に上向き円弧状の他方のフック部５２Ｂを連設して略Ｓ字状に成形されてなり、一方のフック部５２Ａは、その先端に案内直線部５１に接近対峙して下向きに延在する嘴状の舌片５２ａが設けられ、この舌片５２ａの内面と案内直線部５１との間に間隔の小さい隙間５３ａが形成され、当該隙間５３ａの下端を下向きの開口部５３ｂとしており、他方のフック部５２Ｂは、案内直線部５１との間に開度の大きい上向きの開口部５２ｂが備わっている。
【０００５】
Ｓ字フック５０は、一方のフック部５２Ａを図示されていない物干し竿（以下の説明では掛止部材という）に掛止し、他方のフック部５２Ｂには、図示されていないハンガーを介して図示していない衣類などの洗濯物を吊り下げることにより洗濯物の天日乾燥に使用される。
【先行技術文献】
【特許文献】
【０００６】
【特許文献１】特開２０１２−７５８４７号
【考案の概要】
【考案が解決しようとする課題】
【０００７】
前記従来のＳ字フック５０は、掛止部材からの不本意な離脱を防止することが可能である。ところで、掛止部材に対するＳ字フック５０の掛止は、Ｓ字フック５０を把持して開口部５３ｂに掛止部材をあてがい、当該掛止部材を一方のフック部５２Ａに進入させるべく、案内直線部５１を案内にＳ字フック５０を下動することにより、掛止部材で舌片５２ａをこじ開けて隙間５３ａを弾性拡開拡しながら、当該隙間５３ａを通過することによりなされる。ところが、掛止部材の隙間５３ａ通過は、掛止部材が案内直線部５１と舌片５２ａの双方に弾性挟着された摺接移動でなされる、そのため、摩擦抵抗が大きく、この大きい摩擦抵抗が掛止部材に対するＳ字フック５０の掛止抵抗となる。よって、掛止部材に対するＳ字フック５０の掛止操作が困難となる。
【０００８】
一方、前記掛止部材に対するＳ字フック５０の離脱も、掛止部材が案内直線部５１と舌片５２ａの両者に弾性挟着された反対方向の摺接移動で行われるので摩擦抵抗が大きく、この大きい摩擦抵抗が掛止部材に対するＳ字フック５０の離脱抵抗となる。そのため、掛止部材に対するＳ字フック５０の離脱操作が困難となる。
【０００９】
即ち、前記従来のＳ字フック５０は、掛止部材に対する掛脱操作がともに困難である問題点を有している。
【００１０】
本考案は、上記の実情に鑑みてなされたもので、使用時に、たとえ想定外の突風や振動などの外因が負荷されても、掛止部材とＳ字フックとの不本意な相対離脱を確実に防止することが可能でありながら、掛止部材に対する掛脱抵抗を軽減して掛脱操作が容易になされるＳ字フックの提供を目的とするものである。
【課題を解決するための手段】
【００１１】
前記目的を達成するために、本考案に係るＳ字フックは、掛止部材掛脱用の案内直線部と、この案内直線部の両端に連設したフック部と、を備え、前記案内直線部と各フック部の先端との間に開口部を設けてＳ字状に成形され、前記各フック部の少なくとも一つのフック部の開口部が閉塞部材により開閉可能に閉塞されたＳ字フックであって、
前記閉塞部材は、その基端部が前記案内直線部に回動可能に係止され、自由端部は前記フック部の先端内面側に弾力的に当接する片持ち式のばね金具によって構成されていることを特徴とするものである。
【００１２】
前記構成によれば、前記フック部の開口部に掛止部材を臨ませ、当該掛止部材をフック部に進入させるべく、案内直線部を案内にＳ字フックと掛止部材を相対移動すれば、閉塞部材は掛止部材に押圧され、前記弾力に抗して基端部を回動中心に回動してフック部の先端内面側から離れて開口部を開放する。前記相対移動の継続により、掛止部材は開放された開口部からフック部に進入しながら、閉塞部材を押圧し続けてさらに回動する。やがて、掛止部材は閉塞部材自由端部の回動軌跡から外れて、掛止部材に対するフック部の掛止がなされる。
【００１３】
掛止部材が前記回動軌跡から外れると、当該閉塞部材は、前記弾力により反対方向に回動して、自由端部がフック部の先端内面側に弾力的に当接して開口部を閉塞する。これにより、Ｓ字フックの使用時に、たとえ想定外の突風や振動などの外因が負荷されても、掛止部材とＳ字フックとの不本意な相対離脱を確実に防止することが可能となる。しかも、掛止部材に対するＳ字フックの掛止抵抗は、片持ち構造のばね金具からなる閉塞部材をその弾力に抗して回動させる小さい力に軽減されるので、掛止部材に対するＳ字フックの掛止操作が容易となる。
【００１４】
一方、前記開口部を閉塞してしている閉塞部材に指先を引っ掛けて、前記回動軌跡から外れるポイントを超える位置まで閉塞部材を回動してこの位置で保持する。これにより開放された開口部から掛止部材を離脱させるべく、Ｓ字フックと掛止部材を相対移動することで、Ｓ字フックは掛止部材２から離脱する。
【００１５】
指先から閉塞部材を放すと、当該閉塞部材は、前記弾力により回動復帰して、自由端部がフック部の先端内面側に弾力的に当接して開口部を閉塞し、Ｓ字フックの次の使用に備える。掛止部材に対するＳ字フックの離脱抵抗は、片持ち構造のばね金具からなる閉塞部材をその弾力に抗して指先で回動さ、かつ所定位置で保持する小さい力に軽減されるので、掛止部材に対するＳ字フックの離脱操作が容易となる。
【００１６】
即ち、本考案のＳ字フックは、掛止部材に対する掛止抵抗および離脱抵抗が著しく軽減されるので、掛脱操作を容易に行うことが可能となる。
【００１７】
本考案に係るＳ字フックは、前記フック部の先端に、前記閉塞部材の自由端部が掛脱可能に掛止される爪を突設している。これによると、閉塞部材の自由端部を爪に掛止することで開口部の拡開が阻止され、Ｓ字フックと掛止部材の不本意な相対離脱が防止される。
【００１８】
本考案に係るＳ字フックは、前記爪が前記案内直線部と平行に突設されている。これによると、爪に対して前記閉塞部材の自由端部がスムーズに掛脱されるので、閉塞部材による前記フック部開口部の開閉が容易となる。また、掛止部材をフック部に進入させるときに引っかかりが無い。
【００１９】
本考案に係るＳ字フックの前記閉塞部材は、前記案内直線部の軸線に直角、直角に近い鋭角および直角に近い鈍角のいずれかの開き角度で前記自由端部が掛脱可能に前記爪に掛止される。これによれば、前記案内直線部と前記爪との間隔で設定される開度の前記開口部に対して、直角から遠隔する鈍角または鋭角の開き角度で自由端部が掛脱可能に爪に掛止される閉塞部材と比較して、前記基端部から自由端部までの距離が小さい閉塞部材の使用により前記開口部を閉塞できる。そのため、閉塞部材が小型化される。
【考案の効果】
【００２０】
本考案のＳ字フックによれば、掛止部材に対する掛止抵抗および離脱抵抗が著しく軽減されるので、掛脱操作を容易に行うことが可能となる。
【図面の簡単な説明】
【００２１】
【図１】本考案に係るＳ字フックの一実施形態を示す斜視図である。
【図２】図１のＳ字フックをフック本体と閉塞部材とに分解して示す斜視図である。
【図３】本考案に係るＳ字フックの一実施形態を示す正面図である。
【図４】図３のＳ字フックの背面図である。
【図５】閉塞部材の一実施形態を示す正面図である。
【図６】図５の平面図である。
【図７】閉塞部材を除去して示すＳ字フック本体の正面図である。
【図８】図７の背面図である。
【図９】従来例の正面図である。
【考案を実施するための最良の形態】
【００２２】
以下、本考案に係るＳ字フックの好ましい実施例を図面に基づいて説明する。
図１は本考案に係るＳ字フックの一実施形態を示す斜視図、図２は図１のＳ字フックをフック本体と閉塞部材とに分解して示す斜視図、図３は本考案に係るＳ字フックの一実施形態を示す正面図、図４は図３のＳ字フックの背面図である。
【００２３】
図１〜図４において、本考案に係るＳ字フック１は、合成樹脂（ＡＢＳ樹脂）の成形体からなるＳ字状のフック本体１０と、片持ち式のばね金具からなる閉塞部材２０とを備える。
【００２４】
フック本体１０は、傾斜軸線（軸線）Ｃ１を備える左上がりの上側案内直線部１１と、軸線Ｃ１を共有する右下がりの下側案内直線部１２とを備え、本実施形態では、案内直線部１１，１２が円盤状の閉塞部材取付部１３を介して互いに連続している。
【００２５】
上側案内直線部１１の上端に、右下向き円弧状の一方のフック部Ｆ１が連設され、下側案内直線部１２の下端に、左上向き円弧状の他方のフック部Ｆ２が連設されており、上側案内直線部１１とフック部Ｆ１の先端との間に開口部ｆ１が設けられ、下側案内直線部１２とフック部Ｆ２の先端との間に開口部ｆ２を設けてあり、フック部Ｆ１の先端に、閉塞部材２０の自由端部２１が掛脱可能に掛止される爪１４を突設してある。
【００２６】
図５は閉塞部材の一実施形態を示す正面図、図６は図５の平面図である。
図５および図６において、閉塞部材２０は、高弾性ステンレス鋼またはばね鋼などの金属線（線径１．２ｍｍの丸線）を折り曲げて成形した片持ち式構造のもので、図６に示すように、投影平面上の右端で短手Ｗ方向に真直にのびる自由端部２１と、この自由端部２１の短手Ｗ方向一端に連設され、かつ当該自由端部２１に直交して長手Ｌ方向に真直にのびる長寸の第１アーム部２２と、自由端部２１の他端に連設され、かつ当該自由端部２１に直交して長手Ｌ後方に真直にのびて第１アーム部２２に平行な短寸の第２アーム部２３とを備え、第１アーム部２２の後端を内向きに折り曲げて係止部２４ａを設け、第２アーム部２２の後端を内向きに折り曲げて係止部２４ｂを設けるとともに、図５に示すように、第２アーム部２２は、第１アーム部２２に対して、小さい傾斜度で後上がりに傾斜しており、図６に示すように、第１アーム部２２の係止部２４ａと第２アーム部２２の係止部２４ｂの双方で、閉塞部材２０の基端部２４を構成している。
【００２７】
図７は本考案に係るＳ字フックのフック本体を示す正面図、図８は図７の背面図である。
図７に示すように、閉塞部材取付部１３の平坦な正面に第１盲貫孔１３ａを設けてある。この第１盲貫孔１３ａは、投影正面上で、上側案内直線部１１と下側案内直線部１２の軸線Ｃ１に直交する仮想直線Ｃ２上に設けられる。当該仮想直線Ｃ２は、フック部Ｆ１の開口部ｆ１を横断し、かつフック部Ｆ１先端の爪１４に臨んでいる。
【００２８】
一方、図８に示すように、閉塞部材取付部１３の平坦な背面に第２盲貫孔１３ｂを設けてある。この第２盲貫孔１３ｂは、投影背面上で、前記軸線Ｃ１に直交する仮想直線Ｃ２に投影正・背面上で互いに重なる仮想直線Ｃ３に上に設けられる。当該仮想直線Ｃ３は、フック部Ｆ１の開口部ｆ１を横断し、かつフック部Ｆ１先端にの爪１４に臨んでいる。ここで、第１盲貫孔１３ａと第２盲貫孔１３ｂの仮想直線Ｃ２，Ｃ３上の間隔は、図６に示す係止部２４ａ，２４ｂの間隔ｌに等しく設定されている。
【００２９】
図１および図３に示すように、第１アーム部２２の係止部２４ａは第１盲貫孔１３ａに回動可能に係止保持され、図４に示すように、第２アーム部２３の係止部２４ｂは第２盲貫孔１３ａに回動可能に係止保持される。これにより、閉塞部材２０の基端部２４は閉塞部材取付部１３に回動可能に係止保持される。
【００３０】
閉塞部材２０の基端部２４が閉塞部材取付部１３に回動可能に係止保持されることにより、第１アーム部２２は、図３に示すように、仮想直線Ｃ２上に位置し、第２アーム部２３は、図５の状態から、自由端部２１を起点に弾性に抗して矢印Ｆｘの方向に倒伏して、図４に示すように、仮想直線Ｃ３上に位置することとなる。第２アーム部２３が倒伏して仮想直線Ｃ３上に位置することにより、図３の閉塞部材２０に時計まわりの反力が生じる。その一方、回動中心および長さ寸法が互いに異なる第１アーム部２２と第２アーム部２３の双方が同時に回動することで、閉塞部材２０にねじれが生じる。このねじれと前記反力との協働により、閉塞部材２０に基端部２４を回動中心とする時計まわりの付勢力が生じ、この付勢力で閉塞部材２０の自由端部２１が一方フック部Ｆ１の先端内面側に弾力的に当接する。つまり、自由端部２１が爪１４に弾力的に、かつ掛脱可能に掛止されることとなる。
【００３１】
本実施形態では、図７に示すように、爪１４は、投影正面上で上側案内直線部１１の軸線Ｃ１と略平行な軸線Ｃ４を備えて突設されており、この爪１４に、閉塞部材２０の自由端部２１が掛脱可能に掛止される。自由端部２１を爪１４に掛止することで、開口部ｆ１の拡開が阻止される。詳細すると、Ｓ字フック１の使用の際には荷重によりフック部Ｆ１を拡径する力が働き、爪１４には上側案内直線部１１の軸線Ｃ１と直交する方向且つ離反する方向への力が働くこととなるが、閉塞部材２０と爪１４との共働によりフック部Ｆ１は拡径しないことから、Ｓ字フック１と掛止部材２の不本意な相対離脱を防止することが可能となる。また、爪１４が傾斜軸線Ｃ１と略平行な軸線Ｃ４を備えて突設されていることにより、爪１４に対して閉塞部材２０の自由端部２１がスムーズかつ正確に掛脱される。よって、閉塞部材２０によるフック部Ｆ１開口部ｆ１の開閉が容易となると共に、掛止部材２をフック部Ｆ１に進入させるときに引っかかりが無い。
【００３２】
次に、本考案に係るＳ字フックを、洗濯物の天日乾燥に使用する例で説明する。そのため、以下の説明で述べる掛止部材２は物干し竿を指す。
本考案に係るＳ字フック１によれば、図３において、フック本体１０を指先で適宜摘み持つて、一方のフック部Ｆ１の開口部ｆ１に、掛止部材２を実線で示すように臨ませ、当該掛止部材２を一方のフック部Ｆ１に進入させるべく、案内直線部１１を案内にフック本体１０を下動すれば、閉塞部材２０は掛止部材２に押圧され、自己の弾性（弾力）に抗して基端部２４を回動中心に反時計まわりに回動し、自由端部２１が爪１４から離れて（自由端部２１がフック部Ｆ１の先端内面側から離れて）開口部ｆ１を開放する。フック本体１０の下動継続により、掛止部材２は開放された開口部ｆ１からフック部Ｆ１に進入しながら、閉塞部材２０を押圧し続けてさらに反時計まわりに回動させる。やがて、掛止部材２は閉塞部材２０自由端部２１の回動軌跡３から外れて、二点鎖線で示す掛止部材２にフック部Ｆ１が掛止される。
【００３３】
掛止部材２が回動軌跡３から外れると、閉塞部材２０は、自己の弾性（弾力）により時計まわりに回動して、自由端部２１が爪１４に掛止されて（自由端部２１がフック部Ｆ１の先端内面側に弾力的に当接して）開口部ｆ１を閉塞する。これにより、たとえ想定外の突風や振動などの外因が負荷されても、掛止部材２とＳ字フック１との不本意な相対離脱を確実に防止することが可能となる。しかも、掛止部材２に対するＳ字フック１の掛止抵抗は、片持ち構造のばね金具からなる閉塞部材２０をその弾力に抗して回動させる小さい力に軽減されるので、掛止部材２に対するＳ字フック１の掛止操作が容易となる。
【００３４】
一方、二点鎖線で示す掛止部材２にフック部Ｆ１が掛止され、かつ開口部ｆ１を閉塞してしている閉塞部材２０に指先を引っ掛けて、当該閉塞部材２０を前記回動軌跡３から外れるポイントを超え、フック部Ｆ１の内面に近接または当接する位置（直線Ｃ５参照）まで反時計まわりに回動して保持する。この保持により開放された開口部ｆ１から掛止部材２を離脱させるべく、フック本体１０を上動することにより、Ｓ字フック１を掛止部材２から離脱できる。
【００３５】
指先から閉塞部材２０を放すと、閉塞部材２０は、自己の弾力により直線Ｃ５の位置から時計まわりに回動して、実線で示すように、自由端部２１が爪１４に掛止されて開口部ｆ１を閉塞し、Ｓ字フック１の次の使用に備える。掛止部材２からのＳ字フック１の離脱抵抗は、片持ち構造のばね金具からなる閉塞部材２０をその弾力に抗して指先で回動させ，かつ直線Ｃ５の位置で保持するる小さい力に軽減されるので、掛止部材２に対するＳ字フック１の離脱操作が容易となる。
【００３６】
前記実施形態では、閉塞部材２０が上側案内直線部１１の軸線Ｃ１に直角の開き角度で、自由端部２１が掛脱可能に爪１４に掛止される構成で説明しているが、前記開き角度は、直角に近い鋭角であってもよいし、直角に近い鈍角であってもよく、言い換えると略直角の開き角度であればよい。また、フック部Ｆ１，Ｆ２の形状は、前記実施形態で説明した円弧状のみに限定されるものではなく、角形であってもよい。
【００３７】
本考案のＳ字フックについて、前記実施形態に基づいて説明したが、本考案は前記実施形態の構成に限定されるものではなく、その趣旨および技術思想を逸脱しない範囲であれば構造変形が可能である。
【産業上の利用可能性】
【００３８】
本考案のＳ字フックは、洗濯物の天日乾燥のために、上側の下向きフック部を物干し竿に掛止し、下側の上向きフック部に洗濯物を吊り下げたたハンガーを掛止した状態での使用に有用である。
【符号の説明】
【００３９】
１  Ｓ字フック
２  掛止部材
１１  上側案内直線部（案内直線部）
１２  下側案内直線部（案内直線部）
２０  閉塞部材
２１  閉塞部材の自由端部
２４  閉塞部材の基端部
Ｆ１  一方のフック部（フック部）
ｆ１  開口部
Ｆ２  他方のフック部（フック部）
ｆ２  開口部
Ｃ１  案内直線部の軸線
Ｃ４  爪の軸線
【図１】
0003220034.tif 000003
【図２】
0003220034.tif 000004
【図３】
0003220034.tif 000005
【図４】
0003220034.tif 000006
【図５】
0003220034.tif 000007
【図６】
0003220034.tif 000008
【図７】
0003220034.tif 000009
【図８】
0003220034.tif 000010
【図９】
0003220034.tif 000011